(57)【要約】【課題】  本発明が解決しようとする課題は、停電等の電力供給が停止した時でも安定した照明を提供し、電球口金ソケットから取り外し、持ち運び可能な光源として使用することができる電球形ＬＥＤランプを提供する事にある。【解決手段】  上記課題を解決するため、少なくとも一つ以上のＬＥＤと点灯回路と少なくとも点灯回路を被せるケースと電球口金を具備した電球形ＬＥＤランプにおいて、ケース内にバッテリーを具備し、ケースには供給電力を切り替えるスイッチを具備している。前記スイッチによりＬＥＤへの電力供給を前記バッテリーと商用電源への切替えが可能な構成とした。【選択図】  図２
2005123045.tif 000002
【特許請求の範囲】
【請求項１】
少なくとも一個のＬＥＤと前記ＬＥＤの点灯回路と前記点灯回路を収納するケースと電球口金を具備した電球形ＬＥＤランプにおいて、前記ケース内にバッテリーを具備して、前記ＬＥＤへの電力供給をバッテリーと商用電源に切替えができる切替え装置を具備したことを特徴とする電球形ＬＥＤランプ。
【請求項２】
前記電球口金から商用交流電圧が印加されていない時に、前記バッテリーから前記ＬＥＤに電力供給するような切替え装置を具備したことを特徴とする請求項１記載の電球形ＬＥＤランプ。
【請求項３】
ケースにスイッチを有し、前記スイッチによりＬＥＤへの電力供給をバッテリーと商用電源に切替えができることを特徴とする請求項１記載の電球形ＬＥＤランプ。
【請求項４】
電力供給が前記電球口金から行われる時と、前記バッテリーから行われる時とで、前記ＬＥＤに供給する電力を変化させる電力切替え回路を具備したことを特徴とする請求項１〜３記載の電球形ＬＥＤランプ。
【請求項５】
電力供給が前記電球口金から行われる時にすべてのＬＥＤに供給される電力が、前記バッテリーから行われる時に全てのＬＥＤに供給される電力を小さくする節電回路を具備したことを特徴とする請求項１〜３記載の電球形ＬＥＤランプ。
【発明の詳細な説明】
【技術分野】
【０００１】
本発明は、電球形ＬＥＤランプに関する。
【背景技術】
【０００２】
電球形ＬＥＤランプは電球口金ソケットに装着し、電球口金ソケットを通じて点灯回路に電力を供給して、ＬＥＤを点灯している。したがって電球口金ソケットからの電力供給が停止するとランプが消灯する。夜間時の停電等で電力の供給が停止してしまうと、あたり一面暗闇になり危険である。
【０００３】
【特許文献１】特開２００１−２４３８０７号  例えば特許文献１に記載されているＬＥＤ電球は、電球代替として使用できる構造となっているが、バッテリーを具備しておらず供給電力の切替えが出来ない為、停電等で商用電源からの電力の供給が停止した時、ランプが不点灯となってしまう。また、バッテリーを具備していない為、電球口金ソケットから取り外して持ち運び可能な照明装置として使用出来ない。
【発明の開示】
【発明が解決しようとする課題】
【０００４】
本発明が解決しようとする課題は、停電等で電力供給が停止時でも安定した照明を提供し、電球口金ソケットから取り外し、持ち運び可能な光源として使用することもできる電球形ＬＥＤランプを提供する事にある。
【課題を解決するための手段】
【０００５】
上記問題を解決するため、少なくとも一つ以上のＬＥＤと点灯回路と少なくとも点灯回路を被せるケースと電球口金を具備した電球形ＬＥＤランプにおいて、ケース内にバッテリーを具備し、ケースには電力供給を切り替えるスイッチを具備している。前記スイッチによりＬＥＤへの電力供給を前記バッテリーと商用電源への切替えが可能な構成とした。
【発明の効果】
【０００６】
本発明によれば、内部にバッテリーを内蔵し、電力供給を切り替えることの出来るスイッチを具備することで停電等の商用電源からの電力供給停止時にでもバッテリーから電力供給ができ、点灯可能な照明装置を実現できる。また、電球口金ソケットから取り外し、持ち運び可能な照明装置として使用出来る。
【実施例１】
【０００７】
図１において１はケースで、その一端には口金２が取り付けられている。また、ケースには電力供給を切り替えるスイッチ３、発光部１３が取り付けられている。ケース１の内部は図２を用いて説明する。１０はAC/DCコンバータ部でダイオードブリッジ８、平滑コンデンサ９から構成されている。１６は点灯回路部でスイッチ部６、商用電源用点灯回路１１、バッテリー用点灯回路１２から構成されている。１３は発光部でＬＥＤ素子５より構成される、７は商用電源、４はバッテリーである。
【０００８】
スイッチ部６が商用電源側に切り替わっている時、商用電源７から電力供給を受けるとAC/DCコンバータ部１０で直流に変換し、商用電源用点灯回路１１に電力が供給される。商用電源用点灯回路１１内で発光部１３が点灯可能な出力へと変換され発光部１３が点灯する。
【０００９】
またスイッチ部６がバッテリー側に切り替わっている時は、バッテリー４から電力供給を受けるとバッテリー点灯回路１２内で発光部１３が点灯可能な出力へと変換され発光部１３が点灯する。
【００１０】
この構成において商用電源用点灯回路１１とバッテリー点灯回路１２から異なった出力を発信することとした場合は、発光部１３の明るさを変える機能を持つことが出来る。
【００１１】
本発明品は上記した通りスイッチ部６の切替えにより電力供給をバッテリー４と商用電源７に切り替えることが可能である。通常時は電球口金ソケットから一般電球と同様に使用でき、停電等により商用電源７からの電力供給が停止した時に、非常用の光源として使用することが出来る。またバッテリーは内蔵されているため、電球口金ソケットから取り外して、持ち運び可能な照明装置として使用出来る。
【００１２】
商用電源用点灯回路１１とバッテリー点灯回路１２から異なった出力を発信することにより発光部１３の明るさを変えることができる。
【実施例２】
【００１３】
図３に実施例２の回路図を示す。１０はAC/DCコンバータ部でダイオードブリッジ８、平滑コンデンサ９から構成されている。１６は点灯回路部でスイッチ部６、商用電源用点灯回路１１、バッテリー用点灯回路１３から構成されている。１３は発光部であり、ＬＥＤ５を複数個使用した構成である。７は商用電源、４はバッテリーである。
【００１４】
スイッチ部６が商用電源側に切り替わっている時、商用電源７から電力供給を受けるとAC/DCコンバータ部１０で直流に変換し、商用電源点灯回路１１に電力が供給される。商用電源用点灯回路１１内で発光部１３が点灯可能な出力へと変換され発光部１３に内蔵されているすべてのＬＥＤ５が点灯する。
【００１５】
またスイッチ部６がバッテリー側に切り替わっている時は、バッテリー４から電力供給を受けるとバッテリー点灯回路１２内で発光部１３に内蔵されている複数のＬＥＤ５の一部が点灯する。
【００１６】
本発明品は上記した通り商用電源用点灯回路１１とバッテリー点灯回路１２で発光部１３に内蔵されているＬＥＤ５の点灯数量を変化させることで発光部１３の明るさを変えることが出来る。
【実施例３】
【００１７】
図４に実施例３の回路図を示す。１０はAC/DCコンバータ部でダイオードブリッジ８、平滑コンデンサ９から構成されている。１６は点灯回路部でスイッチ部６、商用電源用点灯回路１１、バッテリー用点灯回路１３から構成されている。１３は発光部であり、それぞれ数量の異なるＬＥＤ５を使用した商用電源用発光部１４とバッテリー用発光部１５で構成されている。７は商用電源、４はバッテリーである。
【００１８】
スイッチ部６が商用電源側に切り替わっている時、商用電源７から電力供給を受けるとAC/DCコンバータ部１０で直流に変換し、商用電源用点灯回路１１に電力が供給される。商用電源点灯回路１１内で発光部１３に内蔵されている商用電源用発光部１４が点灯可能な出力へと変換され発光部１３に内蔵されている商用電源用発光部１４が点灯する。
【００１９】
またスイッチ部６がバッテリー側に切り替わっている時は、バッテリー４から電力供給を受け、バッテリー点灯回路１２内で発光部１３に内蔵されているバッテリー用発光部１５が点灯可能な出力へと変換され発光部１３に内蔵されているバッテリー用発光部１５が点灯する。
【００２０】
本発明品は上記した通り商用電源用点灯回路１１とバッテリー点灯回路１２の２種類の点灯回路に対し、それぞれに対応した別々の発光部を設けた構成としており、発光部１３に内蔵されているところの異なったＬＥＤ５を点灯させることで発光部１３の明るさを変えることが出来る。
【実施例４】
【００２１】
図５に実施例４の回路図を示す。１０はAC/DCコンバータ部でダイオードブリッジ８、平滑コンデンサ９から構成されている。１６は点灯回路部でスイッチ部６、商用電源用点灯回路１１、バッテリー用点灯回路１３から構成されている。１３は発光部でＬＥＤ素子５より構成される。７は商用電源、４はバッテリー、１７は切替え装置である。
【００２２】
商用電源７から電力供給を受けると切替え装置が商用電源側に自動で切り替わり、AC/DCコンバータ部１０で直流に変換し、商用電源点灯回路１１に電力が供給される。商用電源用点灯回路１１内で発光部１３が点灯可能な出力へと変換され発光部１３に内蔵されているＬＥＤ５が点灯する。
【００２３】
商用電源７から商用交流電圧が印加されていない時は、切替え装置１７が自動でバッテリー側に切り替わり、バッテリー４から電力供給をはじめる。バッテリー点灯回路１２内でバッテリー用発光部１５が点灯可能な出力へと変換され発光部１３に内蔵されているバッテリー用発光部１５が点灯する。
【図面の簡単な説明】
【００２４】
【図１】本発明の実施例１を説明する構成図。
【図２】本発明の実施例１を説明する回路図。
【図３】本発明の実施例２を説明する回路図。
【図４】本発明の実施例３を説明する回路図。
【図５】本発明の実施例３を説明する回路図。
【符号の説明】
【００２５】
１…ケース、２…電球口金、３…スイッチ、４…バッテリー、５…ＬＥＤ、６…スイッチ部、７…商用電源、８…ダイオードブリッジ、９…コンデンサ、１０…AC/DCコンバータ部、１１…商用電源用点灯回路、１２…バッテリー用点灯回路、１３…発光部、１４…商用電源用発光部、１５…バッテリー用発光部、１６…点灯回路部、１７…切替え装置。
【図１】
2005123045.tif 000003
【図２】
2005123045.tif 000004
【図３】
2005123045.tif 000005
【図４】
2005123045.tif 000006
【図５】
2005123045.tif 000007